(57)【要約】【課題】 幼児や高齢者のような力が弱い人でも甲バンドの締付けが緩むことなく簡単に締付けが出来、さらに締付け力の調節ができてフィット感を向上できる靴を提供する。 【解決手段】 甲被の向かい合う２本の甲バンドからなり、外側から出る甲バンドの表面に面ファスナーの雄を縫製しその先端に環状部材を取り付け、甲被の内側から出る甲バンドの付け根部分に、適度な硬さを持った弾性体からなる複数の山と谷を設けた調整部品を表面に縫製し、裏面に面ファスナーの雌を縫製した甲被の内外側から出る２本の甲バンドからなり、向かい合う２本の甲バンドが正しく係合し、簡単に締付け及び調整が出来、フィット感を増した靴。【選択図】    図５
2015112357.tif 000002
【特許請求の範囲】
【請求項１】
甲被の内外から出た、向かい合う２本の甲バンドを面ファスナーを介して係合する履物において、一方の甲バンド先端には環状部材を備え、もう一方の甲バンド表面の付け根部分には複数の山と谷を設けた調整部品を備えた履物。
【請求項２】
前記記載の調整部品は弾性体エラストマーからなることを特徴とする請求項１に記載の履物。
【請求項３】
前記記載の調整部品の山の高さは、環状部材の上部が調整部品の谷の位置にとどまる際、山の高さが環状部材の管の厚みよりも低く、環状部材の管の厚みの５分の１以上の高さを持つ事を特徴とする請求１または２に記載の履物。
【発明の詳細な説明】
【技術分野】
【０００１】
本発明は、緊締手段が甲バンドに面ファスナーや環状部材を備えた履物に関するものであって、甲バンドが正しく係合し易く、バンドの締付けが緩むことなく容易にでき、フィット感を増す履物に関する。
【背景技術】
【０００２】
甲バンドによって緊締される履物は、従来図１のような片面タイプの甲バンド履物及び図２のような折返しタイプの甲バンド履物が主に取扱いされている。
【先行技術文献】
【特許文献】
【０００３】
【特許文献１】実用新案登録第３１０６３２２号公報
【発明の概要】
【発明が解決しようとする課題】
【０００４】
従来は図１のような片面タイプの甲バンドの履物と、図２のような折返しタイプの甲バンドの履物が使用されているが、片面タイプの場合は、甲バンドの先端に面ファスナーを備え甲被側面に係合するタイプの履物で、甲バンドの反対位置の甲被に面ファスナーの係合面を設けるが、その係合面積を大きくするとデザイン性を損なってしまう。また、係合面積を小さくすると面ファスナーの雄と雌の係合位置がずれ易くなることで、着用時に甲バンドが外れ易くなってしまい、安全性を損なってしまっていた。
【０００５】
図２のような折返しタイプの場合、面ファスナーの係合は、環状部材を通すことで甲バンド同士が正確に重なり易くなる事で面ファスナーのズレ防止の改善はできるが、甲バンドを締付ける際、甲バンドを強く締めると環状部材が破損したり、甲バンドがねじれ、締付ける力が一点集中することで、環状部材の締付け位置で甲バンドが切断されるケースがあった。
【０００６】
又、幼児や高齢者の場合には、甲バンドの締付けが十分に出来ておらず、緩い状態のまま着用され甲バンドの締付けが十分に出来ないケースが見られた。
【課題を解決するための手段】
【０００７】
甲被の内外から出た、向かい合う２本の甲バンドを面ファスナーを介して係合する履物において、一方の甲バンド先端には環状部材を備え、もう一方の甲バンド表面の付け根部分には複数の山と谷を設けた調整部品を備えた履物。
【０００８】
前記記載の調整部品は弾性体エラストマーからなることを特徴とする履物。
【０００９】
前記記載の調整部品の山の高さは、環状部材の上部が調整部品の谷の位置にとどまる際、山の高さが環状部材の管の厚みよりも低く、環状部材の管の厚みの５分の１以上の高さを持つ事を特徴とする履物。
【発明の効果】
【００１０】
本発明の甲バンドの構造は、甲被の内外から出た、向かい合う２本の甲バンドに面ファスナーを付けているため、甲被側面に面ファスナーを取り付ける必要も無く、デザイン性を損なわない構造である。
【００１１】
高齢者や子供等は面ファスナーの雄と雌を正しく重ね合わせることが難しく、正しく係合されていないと歩行中に甲バンドが離れて危険だったが、甲バンドを環状部材の中に通して甲バンド同士を係合させる緊締構造なので、環状部材がガイドの役割を果たして正確に係合できるように導いてくれるので、正しく係合され歩行の際、甲バンドは離れ難くなる。
【００１２】
従来の甲バンドは、締める際に面ファスナーが緩んで締付けが十分に出来なかったが、本発明の甲バンドの構造は、ストッパーの役割を持つ調整部品を甲バンドの付け根部分に配置したので、一旦締付けを行うと手を離しても締付けが緩まず、簡単に甲バンドを締める事が出来る。
【００１３】
また、ストッパーの役割を持つ調整部品の構造は、環状部材が谷の位置にとどまる際、山の高さが環状部材の管の厚みよりも低く、環状部材の管の厚みの５分の１以上高くなっている事が好ましい。
【００１４】
調整部品の山の高さが環状部材の管の厚みよりも高くなると環状部材が山を越え難いため甲バンドの締付けはスムーズに出来ず、環状部材の管の厚みの５分の１以下であると環状部材が山を容易に乗り越えてしまいストッパーの役割を果たさない。
【００１５】
この構造を詳しく説明すると、環状部材が調整部品の谷の位置でとどまり、山と山の間に挟まって動かない状態になる事でストッパーの役割を果たすので、甲バンドを締付ける際、手を離したり、力を緩めても締付けは緩まないので、幼児や高齢者でも簡単に甲バンドの締付けが出来る。
【００１６】
折返しタイプの甲バンドは、甲バンドの締付けの際、力の入れる方向が悪いと甲バンドがねじれて、力が一点に集中し、環状部材や甲バンドが壊れ易かったが、本発明の調整部品を付けることで甲バンドの一番力の加わる部分が補強され、さらに力が分散されることで、締付けの際甲バンドがねじれる事は無くなり、環状部材が壊れたり、甲バンドが切断し難くなった。
【００１７】
調整部品の素材については、通常のプラスチックでは硬くて調整がしづらく、通常のゴムでは軟らかすぎてストッパーの役割を果たさない。従って、プラスチックとゴムとの間の適度な硬さを持った素材とすることにより、調整のし易さとストッパーとしての役割の両方を兼ね備えた素材とした。
甲バンドの締付けの際、調整部品の材質が弾性体でなければ、山の先端が曲がり難いことで環状部材が滑りにくく、調整がしづらい。調整部品が弾性体であれば、山の先端が曲がることで環状部材が滑りやすく、調整がし易い。
【００１８】
本発明の２本の甲バンドにこしを持たせることで靴を脱いだ際、図６のように形態を保つ事が出来るので、次回靴を履く際、容易に足入れが出来、すぐに甲バンドの締付けが行える。
【図面の簡単な説明】
【００１９】
【図１】従来履用されている片面タイプの甲バンド靴。
【図２】従来履用されている折返しタイプの甲バンド靴。
【図３】本発明の甲バンドを外側に向けた図
【図４】本発明の甲バンドを内側に向けた図
【図５】本発明の甲バンドを締めている図
【図６】本発明の甲バンドを緩めた図
【図７】調整部品の斜視図
【図８】調整部品の側面図
【図９】調整部品の上面図
【実施例１】
【００２０】
図７のような調整部品を作製するために天然ゴム、スチレンブタジエンゴム、エチレンビニルアセテート樹脂からなる素材にて調整部品を模った金型にて、プレス成型を行い調整部品を得た。甲被の外側から出る甲バンドの表面に面ファスナーの雄を縫製し、その先端に環状部材を取り付けた。甲被の内側から出る甲バンド付け根部分の表面に調整部品を縫製し、裏面に面ファスナーの雌を縫製し、図５の靴を作製した。その時の環状部材は管の直径が３ｍｍで、調整部品の山の高さが１．５ｍｍであった。
【符号の説明】
【００２１】
１．片面タイプの甲バンド
２．折返しタイプの甲バンド
３．甲被の外側から出る甲バンド
４．甲被の内側から出る甲バンド
５．環状部材
６．調整部品
７．面ファスナーの雌
８．面ファスナーの雄
９．調整部品の山
１０．調整部品の谷
【図１】
2015112357.tif 000003
【図２】
2015112357.tif 000004
【図３】
2015112357.tif 000005
【図４】
2015112357.tif 000006
【図５】
2015112357.tif 000007
【図６】
2015112357.tif 000008
【図７】
2015112357.tif 000009
【図８】
2015112357.tif 000010
【図９】
2015112357.tif 000011